(57)【特許請求の範囲】
【請求項１】
所定の通信プロトコルにより自装置の情報を送信可能な第１照明機器と；
通信機能を有しない第２照明機器と；
前記第２照明機器に対応付けて設けられ、情報を送信可能な付属装置と；
前記第１照明機器及び前記付属装置からの情報を受信する照明制御装置と；
を具備し、
前記付属装置が接続される受部が、前記照明制御装置と所定のネットワークにより通信可能に接続され、前記付属装置から読み出した前記情報を前記照明制御装置に送信可能であることを特徴とする照明システム。
【請求項２】
前記付属装置は、前記第２照明機器への電力供給に用いるプラグに設けられる
ことを特徴とする請求項１に記載の照明システム。
【請求項３】
前記付属装置は、前記プラグが接続される受部の読み出し機能により、情報を読み出し可能である
ことを特徴とする請求項２に記載の照明システム。
【請求項４】
前記照明制御装置は、前記第１照明機器または前記付属装置から受信した情報と、前記第１照明機器または前記第２照明機器の設置位置とを対応付けて管理する
ことを特徴とする請求項１〜３のいずれか１項に記載の照明システム。
【請求項５】
前記照明制御装置は、所定の図面情報に基づいて、前記第１照明機器及び前記第２照明機器の配置を確認するための情報を生成する
ことを特徴とする請求項４に記載の照明システム。
【発明の詳細な説明】
【技術分野】
【０００１】
本発明の実施形態は、照明システムに関する。
【背景技術】
【０００２】
従来、スタジオや舞台等では、複数の照明機器により照明演出がなされている。このような照明演出を行う照明システムでは、照明演出を行うための仕込み作業において、照明機器を点灯することは照明機器を目視すること等により、照明機器が適切な位置に設置されているかを確認する。
【先行技術文献】
【特許文献】
【０００３】
【特許文献１】特開２００７−２６５７６５号公報
【特許文献２】特開２０１２−０６９４２３号公報
【発明の概要】
【発明が解決しようとする課題】
【０００４】
そのため、上述した照明システムにおいては、仕込み作業に時間を要する等、照明機器を適切に管理することが難しいという課題がある。
【０００５】
本発明は、照明機器の管理を容易化する照明システムを提供することを目的とする。
【課題を解決するための手段】
【０００６】
本実施形態の照明システムは、第１照明機器と、第２照明機器と、付属装置と、照明制御装置とを具備する。第１照明機器は、所定の通信プロトコルにより自装置の情報を送信可能である。また、第２照明機器は、通信機能を有しない。また、付属装置は、第２照明機器に対応付けて設けられ、情報を送信可能である。また、照明制御装置は、第１照明機器及び付属装置からの情報を受信する。
【発明の効果】
【０００７】
本発明によれば、照明機器の管理を容易化することができる。
【図面の簡単な説明】
【０００８】
【図１】図１は、実施形態に係る照明システムを示す図である。
【図２】図２は、実施形態に係る照明システムの要部を示す図である。
【図３】図３は、実施形態に係る照明制御装置の構成を示す図である。
【図４】図４は、実施形態に係る機器設置情報記憶部に記憶される情報の一例を示す図である。
【図５】図５は、実施形態に係る図面情報記憶部に記憶される情報の一例を示す図である。
【図６】図６は、実施形態に係る図面と照明機器の設置位置との照合の一例を示す図である。
【図７】図７は、実施形態に係る図面と照明機器の設置位置との照合の一例を示すフローチャートである。
【発明を実施するための形態】
【０００９】
以下で説明する実施形態に係る照明システム１は、所定の通信プロトコルにより自装置の情報を送信可能な第１照明機器１０Ａと、通信機能を有しない第２照明機器１０Ｂと、第２照明機器１０Ｂに対応付けて設けられ、情報を送信可能な付属装置と、第１照明機器１０Ａ及び付属装置からの情報を受信する照明制御装置３０とを具備する。
【００１０】
また、以下で説明する実施形態に係る照明システム１において、付属装置（実施形態においてはＮＦＣ（Near  Field  Communication）タグＴＧ２１）は、第２照明機器１０Ｂへの電力供給に用いるプラグＰＧ２１に設けられる。
【００１１】
また、以下で説明する実施形態に係る照明システム１において、付属装置は、プラグＰＧ２１が接続される受部の読み出し機能により、情報を読み出し可能である。
【００１２】
また、以下で説明する実施形態に係る照明システム１において、照明制御装置３０は、第１照明機器１０Ａまたは付属装置から受信した情報と、第１照明機器１０Ａまたは第２照明機器１０Ｂの設置位置とを対応付けて管理する。
【００１３】
また、以下で説明する実施形態に係る照明システム１において、照明制御装置３０は、所定の図面情報に基づいて、第１照明機器１０Ａ及び第２照明機器１０Ｂの配置を確認するための情報を生成する。
【００１４】
［実施形態］
まず、本発明の実施形態に係る照明システム１を図面に基づいて説明する。図１は、実施形態に係る照明システムを示す図である。図１では、照明システム１において所定の通信機能を有する第１照明機器１０Ａと通信機能を有しない第２照明機器１０Ｂとが混在して設置され、照明制御装置３０が第１照明機器１０Ａや、第２照明機器１０ＢのプラグＰＧ２１から各種情報を収集する例を示す。
【００１５】
［照明システムの構成］
照明システム１は、第１照明機器１０Ａと、第２照明機器１０Ｂと、ノード２０と、照明制御装置３０と、調光盤４０と、監視装置５０と、端末装置６０と、クラウドサーバ７０とを具備する。以下では、第１照明機器１０Ａと第２照明機器１０Ｂについて、特に区別なく説明する場合には、照明機器１０と記載する。
【００１６】
また、図１に示す照明システム１において、ノード２０と、照明制御装置３０と、調光盤４０と、監視装置５０とは、例えばイーサネット（登録商標）等による所定のネットワークＮＴ１により通信可能に接続されるものとする。なお、ネットワークＮＴ１は、照明システム１の導入先となるスタジオや劇場等の施設で使用されるＬＡＮ（ローカル・エリア・ネットワーク）であってもよいし、インターネットであってもよい。
【００１７】
第１照明機器１０Ａは、例えばＬＥＤ（Light  Emitting  Diodes）等の半導体発光素子を光源とする照明機器１０である。例えば、第１照明機器１０Ａは、バトン（図示省略）等により所定の位置に吊り下げられたり、所定の位置に置かれたりして用いられる。また、例えば、第１照明機器１０Ａは、照明制御装置３０からノード２０を経由して送信される制御情報に従って、明るさ、範囲、色彩等を変化させることで、スタジオや舞台等の照明演出を行う。また、第１照明機器１０Ａは、所定の通信プロトコル、例えばＤＭＸ規格に従った通信プロトコルや、ＤＭＸを拡張したＲＤＭ（Remote  Device  Management）規格に沿った通信方式ＬＮ１により、ノード２０と双方向通信が可能である。そのため、第１照明機器１０Ａは、自装置の情報（以下、「機器情報」とする場合がある）を送信可能であるが、詳細は後述する。
【００１８】
第２照明機器１０Ｂは、例えばハロゲンランプ等を光源とする照明機器１０である。例えば、第２照明機器１０Ｂは、バトン等により所定の位置に吊り下げられたり、所定の位置に置かれたりして用いられる。また、第２照明機器１０Ｂは、通信機能を有しないものとする。ここで、第２照明機器１０Ｂに接続されるケーブルＣＢ２１には、プラグＰＧ２１が設けられる。図１では、プラグＰＧ２１はＣ型プラグである。図１において、プラグＰＧ２１には、プラグＰＧ２１の受部であるコンセントＣＮ２０−１の読み出し機能により、情報を読み出し可能な付属装置であるＮＦＣタグＴＧ２１が設けられる。なお、コンセントＣＮ２０−１の読み出し機能、及びプラグＰＧ２１のＮＦＣタグＴＧ２１の詳細については後述する。
【００１９】
ノード２０は、例えばＤＭＸノードやＲＤＭノードと称され、第１照明機器１０Ａを接続する装置である。すなわち、ノード２０は、所定の通信プロトコル、例えばＤＭＸ規格に従った通信プロトコルや、ＤＭＸを拡張したＲＤＭ規格に沿った通信方式により、第１照明機器１０Ａと双方向通信が可能である。また、ノード２０は、照明制御装置３０と双方向通信が可能である。また、ノード２０は、照明制御装置３０から送信される制御信号を対応する第１照明機器１０Ａに送信する。
【００２０】
照明制御装置３０は、各照明機器１０に対して制御を行う操作者による操作を受付ける。例えば、照明制御装置３０は、調光卓と称される装置である。照明制御装置３０は、操作者による操作等に応じて、各照明機器１０の調光等を制御する情報（信号）をノード２０や調光盤４０に送信する。また、照明制御装置３０は、第１照明機器１０Ａや第２照明機器１０ＢのプラグＰＧ２１からの各種情報を受信するが、詳細は後述する。
【００２１】
調光盤４０は、所定の送電ケーブルＬＮ２により第２照明機器１０Ｂに電力を供給する。また、調光盤４０は、位相制御式の調光制御方式により第２照明機器１０Ｂの調光を制御する。例えば、調光盤４０は、照明制御装置３０からの制御信報に応じて、第２照明機器１０Ｂに供給する電源電圧を変動させることにより、第２照明機器１０Ｂの調光を制御する。例えば、調光盤４０は、照明制御装置３０から制御信報を受信すると、第２照明機器１０Ｂの調光レベルに応じて、各第２照明機器１０Ｂに印加する電圧を、例えば０Ｖ〜１００Ｖで調整して出力する。また、例えば、調光盤４０には各第２照明機器１０Ｂ用の位相制御式の調光器が設けられており、照明制御装置３０からの制御信号に応じた各調光器の制御により、各調光器に対応した第２照明機器１０Ｂが一括して調光制御されてもよい。
【００２２】
監視装置５０は、照明システム１の導入先に設けられ、ノード２０や照明制御装置３０や調光盤４０等の動作を監視する装置である。例えば、監視装置５０は、ノード２０や照明制御装置３０や調光盤４０の各々から情報を収集することにより、ノード２０や照明制御装置３０や調光盤４０等の動作を監視してもよい。また、監視装置５０は、照明制御装置３０が収集した情報を取得してもよい。また、照明システム１の導入先における管理者等は、監視装置５０と所定のネットワークＮＴ２により通信可能な端末装置６０により、照明システム１の動作状況を確認してもよい。なお、ネットワークＮＴ１とネットワークＮＴ２とは共通のネットワークであってもよい。
【００２３】
クラウドサーバ７０は、照明システム１の導入先から遠隔にあるサービス提供者側の所定の地点に設けられる装置である。クラウドサーバ７０は、監視装置５０と所定のネットワークＮＴ３により双方向通信が可能である。例えば、ネットワークＮＴ３は、専用通信回線や仮想プライベートネットワーク（Virtual  Private  Network）であってもよいし、インターネットであってもよい。また、クラウドサーバ７０は、監視装置５０が収集した情報を取得し保有する。例えば、クラウドサーバ７０は、照明システム１が複数ある場合、各々の照明システム１の監視装置５０が収集した情報を取得し保有する。クラウドサーバ７０は、管理端末８０Ａ、及びタブレット端末やスマートフォン等の携帯端末８０Ｂと所定のネットワークＮＴ４により通信可能である。また、サービス提供者側の管理者Ａ１は、管理端末８０Ａや携帯端末８０Ｂ等により、クラウドサーバ７０に収集された情報を確認し管理する。
【００２４】
［照明システムにおける処理例］
図１に示すように、第１照明機器１０Ａは、電力供給のために用いるプラグＰＧ１１をコンセント装置ＪＣ１１の電力供給用のジャックＰＳ１１に接続する（ステップＳ１１）。これにより、第１照明機器１０Ａには、例えば商用電源ＣＰから電力が供給される。なお、第１照明機器１０Ａには、調光盤４０等から電力が供給されてもよい。また、第１照明機器１０Ａは、情報の送受信のために用いるプラグＰＧ１２をコンセント装置ＪＣ１１の情報送受信用のジャックＪＣ１１−１に接続する（ステップＳ１２）。これにより、第１照明機器１０Ａには、ノード２０を介して照明制御装置３０との情報の送受信が可能となる。
【００２５】
また、第２照明機器１０Ｂは、プラグＰＧ２１をコンセントＣＮ２０−１のジャックＪＣ２１に接続する（ステップＳ１３）。これにより、第２照明機器１０Ｂには、調光盤４０からの電源電圧が供給される。なお、図１に示すステップＳ１１〜Ｓ１３は、説明のための順序であり、例えば、ステップＳ１３における第２照明機器１０Ｂの接続は、ステップＳ１１及びＳ１２における第１照明機器１０Ａの接続よりも前に行われてもよい。
【００２６】
上述したように、プラグＰＧ２１には、ＮＦＣタグＴＧ２１が設けられる。例えば、ＮＦＣタグＴＧ２１は、ＮＦＣタグＴＧ２１を識別する識別情報を読み出し可能なタグである。なお、ＮＦＣタグＴＧ２１には、読み取り側が対応可能であれば、ＲＦ（Radio  Frequency）タグに限らず、光タグ等、どのようなタグが用いられてもよい。また、プラグＰＧ２１は、直接にＮＦＣタグＴＧ２１が設けられることなく、コンセントＣＮ２０−１との間に、付属装置であるＮＦＣタグや光タグ付のアダプタを介して、コンセントＣＮ２０−１に接続してもよい。
【００２７】
また、コンセントＣＮ２０−１には、ＮＦＣタグＴＧ２１の情報を読み出し可能なＮＦＣリーダライタＲＷ２１が設けられる。すなわち、プラグＰＧ２１をコンセントＣＮ２０−１のジャックＪＣ２１に接続された状態において、ＮＦＣタグＴＧ２１はＮＦＣリーダライタＲＷ２１により、識別情報が読み出し可能となる。また、ＮＦＣリーダライタＲＷ２１は、ネットワークＮＴ１により照明制御装置３０と情報の送受信が可能となっており、ＮＦＣタグＴＧ２１から読み出した識別情報を照明制御装置３０に送信可能である。
【００２８】
なお、ＮＦＣタグＴＧ２１とＮＦＣリーダライタＲＷ２１との間における近距離無線通信の規格は、どのような規格であってもよい。例えば、ＮＦＣタグＴＧ２１とＮＦＣリーダライタＲＷ２１との間における近距離無線通信の規格は、いわゆるＴｙｐｅＡと称されるＭＩＦＡＲＥ（ＩＳＯ/ＩＥＣ  １４４４３）やＴｙｐｅＢ（ＩＳＯ/ＩＥＣ  １４４４３）等であってもよい。
【００２９】
また、照明制御装置３０は、ノード２０を経由して制御情報を第１照明機器１０Ａへ送信する。例えば、照明制御装置３０は、第１照明機器１０Ａへの制御情報を第１照明機器１０Ａが接続されるノード２０に送信する（ステップＳ１４）。照明制御装置３０から制御情報を受信したノード２０は、対応する第１照明機器１０Ａへ制御情報を送信する（ステップＳ１５）。また、ノード２０から制御情報を受信した第１照明機器１０Ａは、制御情報に従って、明るさ、範囲、色彩等を変化させる。
【００３０】
また、照明制御装置３０は、調光盤４０へ第２照明機器１０Ｂを制御するための制御信号を送信する（ステップＳ１６）。照明制御装置３０から制御信号を受信した調光盤４０は、対応する第２照明機器１０Ｂへ電圧信号を送る（ステップＳ１７）。また、第２照明機器１０Ｂは、調光盤４０からの電圧信号により、調光が制御される。なお、図１に示すステップＳ１４〜Ｓ１７は、説明のための順序であり、例えば、ステップＳ１６における制御信号の送信は、ステップＳ１４における制御情報の送信よりも前に行われてもよい。
【００３１】
また、第１照明機器１０Ａは、ノード２０を経由して自装置の機器情報を照明制御装置３０へ送信する。例えば、第１照明機器１０Ａは、自装置の機器情報をノード２０に送信する（ステップＳ１８）。また、第１照明機器１０Ａから機器情報を受信したノード２０は、照明制御装置３０へ機器情報を送信する（ステップＳ１９）。例えば、第１照明機器１０Ａは、照明制御装置３０からの指示に応じて、照明制御装置３０へ自装置の機器情報を送信してもよい。なお、第１照明機器１０Ａが送信する機器情報には、第１照明機器１０Ａを識別する識別情報が含まれるものとする。
【００３２】
また、コンセントＣＮ２０−１のＮＦＣリーダライタＲＷ２１は、ＮＦＣタグＴＧ２１から読み出した識別情報を照明制御装置３０へ送信する（ステップＳ２０）。例えば、ＮＦＣリーダライタＲＷ２１は、照明制御装置３０からの指示に応じてＮＦＣリーダライタＲＷ２１から読み出した識別情報を、照明制御装置３０へ送信してもよい。
【００３３】
そして、照明制御装置３０は、ステップＳ１９において第１照明機器１０Ａから受信した機器情報やステップＳ２０においてＮＦＣリーダライタＲＷ２１から受信したＮＦＣタグＴＧ２１の識別情報等を収集する（ステップＳ２１）。これにより、照明制御装置３０は、第１照明機器１０Ａが接続されている数や、コンセントＣＮ２０−１等に接続されている第２照明機器１０Ｂの数等を確認することができる。したがって、照明システム１は、管理を容易化できる。なお、照明制御装置３０は、機器情報や識別情報を設置位置と関連付けて管理することにより、どこに照明機器１０が設置されているかを確認できるが、詳細は後述する。
【００３４】
［コンセントにおける情報送信］
ここで、図２を用いてコンセントにおける情報送信についての詳細を説明する。図２は、実施形態に係る照明システムの要部を示す図である。
【００３５】
図２に示すように、コンセントＣＮ２０−１は、他のコンセントＣＮ２０−２、ＣＮ２０−３とともにコンセントユニットＣＮ２０の一部として含まれる。すなわち、コンセントユニットＣＮ２０には、３つのコンセントＣＮ２０−１〜ＣＮ２０−３を含む。また、各コンセントＣＮ２０−１〜ＣＮ２０−３には、ＮＦＣリーダライタＲＷ２１〜ＲＷ２３が設けられる。具体的には、コンセントＣＮ２０−２には、ＮＦＣリーダライタＲＷ２２が設けられ、コンセントＣＮ２０−３には、ＮＦＣリーダライタＲＷ２３が設けられる。
【００３６】
また、コンセントユニットＣＮ２０は、制御部ＣＵ２０を有する。例えば、制御部ＣＵ２０は、ＣＰＵ（Central  Processing  Unit）を有し、ＮＦＣリーダライタＲＷ２１〜ＲＷ２３に情報の読み出しを指示したり、ＮＦＣリーダライタＲＷ２１〜ＲＷ２３からの情報を処理したりする。
【００３７】
また、コンセントユニットＣＮ２０は、各コンセントＣＮ２０−１〜ＣＮ２０−３の各々に接続される送電ケーブルＬＮ２ごとに変流器ＣＴ（Current  Transformer）２１〜２３を有する。変流器ＣＴ２１〜２３は、いわゆる計器用変流器であり、各々対応する送電ケーブルＬＮ２に流れる電流を測定する。これにより、制御部ＣＵ２０は、変流器ＣＴ２１〜２３からの情報により、どのコンセントＣＮ２０−１〜ＣＮ２０−３に第２照明機器１０Ｂが接続されているかを判別できる。また、制御部ＣＵ２０や照明制御装置３０は、変流器ＣＴ２１〜２３からの情報により、各コンセントＣＮ２０−１〜ＣＮ２０−３に接続された第２照明機器１０Ｂの各々の使用時間を積算することができる。これにより、照明制御装置３０は、使用時間が所定の閾値以上となった第２照明機器１０Ｂを照明システム１の管理者等に対して通知（表示）することにより、消耗した第２照明機器１０Ｂを交換可能となる。
【００３８】
例えば、制御部ＣＵ２０は、変流器ＣＴ２１〜２３からの情報に基づいて、第２照明機器１０Ｂが接続されているコンセントＣＮ２０−１〜ＣＮ２０−３に対してのみ、情報の読み出しを指示してもよい。また、例えば、コンセントユニットＣＮ２０は、ＰＯＥ（Power  Over  Ethernet（登録商標））を介して、ＮＦＣリーダライタＲＷ２１〜ＲＷ２３等が読み出した識別情報を含む各種の情報を照明制御装置３０へ送信する。すなわち、照明システム１は、通信機能を有さない第２照明機器１０Ｂを高機能化することができる。このように、照明制御装置３０は、コンセントユニットＣＮ２０の機能により、第２照明機器１０Ｂに対応付けられたＮＦＣタグの識別情報を収集することができる。したがって、照明システム１は、第１照明機器１０Ａに関する情報に加えて、第２照明機器１０Ｂに関する情報も収集できるため、管理を容易化できる。
【００３９】
［照明制御装置の構成例］
次に、図３を用いて、実施形態に係る照明制御装置３０の構成について説明する。図３は、実施形態に係る照明制御装置の構成を示す図である。図３に示すように、照明制御装置３０は、通信部３１と、記憶部３２と、表示部３３と、操作部３４、制御部３５とを有する。
【００４０】
通信部３１は、照明機器１０やノード２０や調光盤４０や監視装置５０等との間の通信を制御する機能を有し、例えば、ＮＩＣ等により実現される。
【００４１】
記憶部３２は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部３２は、図３に示すように、機器設置情報記憶部３２−１と、図面情報記憶部３２−２とを有する。
【００４２】
機器設置情報記憶部３２−１には、収集した照明機器１０の識別情報と、識別情報に対応する照明機器１０の機器情報と、識別情報に対応する照明機器１０が接続されたコンセント、すなわち設置位置を示す接続情報とが対応付けて記憶される。例えば、図４は、実施形態に係る機器設置情報記憶部に記憶される情報の一例を示す図である。図４に示す例では、識別情報「ＩＤＬ１」により識別される照明機器１０は、ＬＥＤライトであり、コンセント装置ＪＣ１１のジャックＪＣ１１−１に接続されていることが記憶されている。なお、機器情報は、ＬＥＤランプやハロゲンランプなどランプの種別だけでなく、出力ワット数等など種々の情報が記憶される。機器設置情報記憶部３２−１には、上記に限らず、目的に応じて種々の情報が記憶されてもよい。例えば、機器設置情報記憶部３２−１には、接続情報に対応する具体的な設置位置に関する情報が記憶されてもよい。
【００４３】
また、図面情報記憶部３２−２には、例えば仕込み図等の図面情報が記憶される。例えば、図５は、実施形態に係る図面情報記憶部に記憶される情報の一例を示す図である。なお、図５では、説明のため図面情報が表示部３３に表示される際の具体的な表示態様を図示するが、「図面情報」としては、図５に示す図を表示するためのデータであってもよい。なお、「図面情報」として記憶されるデータは、図５に示すような図面を表示可能であれば、どのようなデータ形式であってもよい。
【００４４】
図５に示す例では、コンセント装置ＪＣ１１のジャックＪＣ１１−１は、「ＪＣ１１」とその「ＪＣ１１」の列の「１」で示される矩形（以下、「設置位置」とする。）が対応する。すなわち、図５に示す例では、コンセント装置ＪＣ１１のジャックＪＣ１１−１に接続された第１照明機器１０Ａは、「ＪＣ１１」とその「ＪＣ１１」の列の「１」で示される設置位置の位置に設置されることを示す。
【００４５】
また、図５に示す例では、コンセントユニットＣＮ２０のコンセントＣＮ２０−１は、「ＣＮ２０」とその「ＣＮ２０」の列の「１」で示される設置位置が対応する。すなわち、図５に示す例では、コンセントＣＮ２０−１に接続された第２照明機器１０Ｂは、「ＣＮ２０」とその「ＣＮ２０」の列の「１」で示される設置位置の位置に設置されることを示す。
【００４６】
図３に戻り説明を続ける。表示部３３は、例えば、液晶モニタ等により実現され、各種情報を表示する。表示部３３は、後述する制御部３５による制御に従い、照明制御装置３０が収集した情報を表示する。例えば、表示部３３は、図面情報記憶部３２−２に記憶された図面情報に機器設置情報記憶部３２−１に記憶された設置機器に関する情報を含ませて表示するが、この点の詳細は後述する。
【００４７】
操作部３４は、各照明機器１０に対する操作を受付けるものであり、例えば、各照明機器１０の照度を変更する操作を受付ける複数のフェーダを有する。なお、操作部３４は、タッチパネル等を利用して構成することもできる。
【００４８】
制御部３５は、各種の処理手順などを規定したプログラム及び所要データを格納するための内部メモリを有し、これらによって種々の処理を実行するが、特に本発明に密接に関連するものとしては、受信部３５−１、送信部３５−２、及び生成部３５−３を有する。
【００４９】
受信部３５−１は、外部からの各種情報を受信する。例えば、受信部３５−１は、照明機器１０から識別情報等の各種情報を受信する。例えば、受信部３５−１は、第１照明機器１０Ａから機器情報を受信する。また、例えば、受信部３５−１は、コンセントユニットＣＮ２０からＮＦＣタグＴＧ２１の識別情報を受信する。また、例えば、受信部３５−１は、外部装置から図面情報を受信してもよい。例えば、受信部３５−１は、端末装置６０において入力された図面情報を受信してもよい。例えば、受信部３５−１は、いわゆる仕込み図をスキャンすることにより生成された図面情報を受信してもよい。
【００５０】
送信部３５−２は、各種情報を送信する。例えば、送信部３５−２は、第１照明機器１０Ａに制御情報を送信する。また、例えば、送信部３５−２は、調光盤４０に制御信号を送信する。
【００５１】
生成部３５−３は、図面情報記憶部３２−２に記憶された図面情報に機器設置情報記憶部３２−１に記憶された設置機器に関する情報を含んだ画像情報を生成する。また、生成部３５−３は、生成した画像情報を表示部３３に表示させる。また、生成部３５−３は、図面情報記憶部３２−２に記憶された図面情報に基づいて、第１照明機器１０Ａ及び第２照明機器１０Ｂの配置を確認してもよい。例えば、生成部３５−３は、図面情報に照明機器１０が設置される位置の情報が含まれる場合、機器設置情報記憶部３２−１に記憶された設置機器と図面情報とを照合して、照明機器１０が設置される位置に照明機器１０が設置されているかを確認するための情報を生成してもよい。この場合、生成部３５−３は、照明機器１０が設置される位置に対応する機器情報が、機器設置情報記憶部３２−１に記憶されていない場合、照明機器１０が設置されるべき位置を識別可能に表示する情報を生成してもよい。例えば、生成部３５−３は、生成した情報を表示部３３に表示させてもよい。
【００５２】
［図面による設置確認］
次に、各照明機器１０が適切に設置されているかを確認するための図面と照明機器の設置位置との照合について説明する。図６は、実施形態に係る図面と照明機器の設置位置との照合の一例を示す図である。
【００５３】
図６は、表示部３３に表示された図面ＤＰ１０を示す。例えば、図面ＤＰ１０は、図面情報記憶部３２−２に記憶された図面情報と機器設置情報記憶部３２−１に記憶された設置機器に関する情報とにより生成される。具体的には、図面ＤＰ１０は、図面情報記憶部３２−２に記憶された図面情報の各設置位置に機器設置情報記憶部３２−１に記憶された設置機器に関する情報を重畳表示する。
【００５４】
例えば、図６に示す例において、図面ＤＰ１０は、「ＪＣ１１」とその「ＪＣ１１」の列の「１」で示される設置位置には、「ＩＤＬ１」により識別される第１照明機器１０Ａが設置されていることを示す。また、例えば、図６に示す例において、図面ＤＰ１０は、「ＣＮ２０」とその「ＣＮ２０」の列の「２」で示される設置位置には、「ＩＤＨ２」により識別される第２照明機器１０Ｂが設置されていることを示す。このように、照明制御装置３０は、図面情報に各設置位置に対応する箇所に機器情報を重畳して表示する図面ＤＰ１０を表示部３３に表示することにより、照明制御装置３０の操作者等がどの位置にどの照明機器１０が設置されているかを把握することができる。したがって、照明システム１は、管理を容易化できる。
【００５５】
なお、図６に示す図面ＤＰ１０は一例であり、機器情報として、「ＬＥＤランプ」等の具体的な名称や出力ワット数等を表示してもよい。また、機器情報から特定可能なスポットライトやホリゾントライト等の照明機器１０の種別を示すアイコンを照明機器１０の設置位置と対応する位置に表示してもよい。なお、照明制御装置３０は、上記に限らず、例えば、図面情報と設置された照明機器１０との差異に基づいて、種々の情報を表示してもよい。例えば、照明制御装置３０は、図面情報において設置位置に対応付けられた機器情報と設置された照明機器１０の機器情報に差異がある場合、警告を表示してもよい。例えば、照明制御装置３０は、照明機器１０の種別や重量や定格電力に関する警告を表示してもよい。また、照明制御装置３０は、照明機器１０が設置される位置に対応する機器情報が、機器設置情報記憶部３２−１に記憶されていない場合、バックアップ用の照明機器１０を点灯させてもよい。
【００５６】
［図面による設置確認の処理フロー］
次に、図面と照明機器の設置位置との照合の処理フローについて説明する。図７は、実施形態に係る図面と照明機器の設置位置との照合の一例を示すフローチャートである。
【００５７】
まず、照明制御装置３０は、図面情報を取得する（ステップＳ１０１）。例えば、照明制御装置３０は、端末装置６０において入力された図面情報を取得する。また、例えば、照明制御装置３０は、図面情報記憶部３２−２から図面情報を取得する。
【００５８】
また、照明制御装置３０は、機器情報を受信する（ステップＳ１０２）。例えば、照明制御装置３０は、第１照明機器１０Ａから識別情報を含む機器情報を受信する。
【００５９】
また、照明制御装置３０は、識別情報を受信する（ステップＳ１０３）。例えば、照明制御装置３０は、第２照明機器１０Ｂに対応付けて設けられたＮＦＣタグＴＧ２１から識別情報を受信する。例えば、照明制御装置３０は、ＮＦＣタグＴＧ２１からＮＦＣリーダライタＲＷ２１が読み出した識別情報を受信する。なお、ステップＳ１０１〜Ｓ１０３は、以下に説明するステップＳ１０４よりも前であれば、順序に関係なく行われてもよい。
【００６０】
その後、照明制御装置３０は、ステップＳ１０２において受信した機器情報及びステップＳ１０３において受信した識別情報を反映した図面情報を表示する（ステップＳ１０４）。
【００６１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。また、この実施形態やその変形は、処理内容を矛盾させない範囲で適宜組み合わせることが可能である。
【符号の説明】
【００６２】
１        照明システム
１０Ａ    第１照明機器
１０Ｂ    第２照明機器
２０      ノード
３０      照明制御装置
４０      調光盤
５０      監視装置
６０      端末装置
７０      クラウドサーバ
８０Ａ    管理端末
８０Ｂ    携帯端末
【図１】
0006589484.tif 000002
【図２】
0006589484.tif 000003
【図３】
0006589484.tif 000004
【図４】
0006589484.tif 000005
【図５】
0006589484.tif 000006
【図６】
0006589484.tif 000007
【図７】
0006589484.tif 000008